(57)【要約】  【課題】目を上に向けることなく、指操作で洗眼液を噴射可能にし、しかも洗眼液を回収できる洗眼キャップ付きの洗眼液噴射装置を提供する。  【解決手段】噴射ヘッドが、上方へ延びて先端部に上方への噴射口１７ｂを有する噴射パイプと、この噴射パイプを指で押下げ操作するように噴射パイプの周囲に設けられた操作部とを備えると共に、噴射ヘッドに、通常状態で噴射パイプを操作部と共にカバーして押下げ操作を不能にするように、容器頭部に着脱自在に係合し、かつ洗眼時に眼球周囲にセットされる洗眼キャップ２０が付属し、この洗眼キャップの開口縁２１が、眼球周囲に対応した形状に形成されると共に、洗眼キャップ２０の基底面に、通常状態から洗眼キャップ２０が反転された状態で、噴射口１７ｂに連通するように噴射パイプの先端部に着脱自在に係合する係合部２２が形成されている。  【選択図】図１
2006346074.tif 000002
【特許請求の範囲】
【請求項１】
洗眼液を充填された容器の頭部に、指操作で洗眼液を噴射させる噴射ヘッドが設けられた洗眼液噴射装置において、
噴射ヘッドが、上方へ延びて先端部に上方への噴射口を有する噴射パイプと、この噴射パイプを指で押下げ操作するように前記噴射パイプの周囲に設けられた操作部とを備えると共に、前記噴射ヘッドに、通常状態で前記噴射パイプを前記操作部と共にカバーして押下げ操作を不能にするように、容器頭部に着脱自在に係合し、かつ洗眼時に眼球周囲にセットされる洗眼キャップが付属し、
この洗眼キャップの開口縁が、眼球周囲に対応した形状に形成されると共に、前記洗眼キャップの基底面に、通常状態から前記洗眼キャップが反転された状態で、前記噴射口に連通するように前記噴射パイプの先端部に着脱自在に係合する係合部が形成されたことを特徴とする洗眼液噴射装置。
【請求項２】
洗眼液を充填された容器の頭部に、指操作で洗眼液を噴射させる噴射ヘッドが設けられた洗眼液噴射装置において、
噴射ヘッドが、横向きのノズルを突設され、かつ指で押下げ操作される噴射ボタンを備えると共に、前記噴射ヘッドに、通常状態で前記噴射ボタンをカバーして押下げ操作を不能にするように、容器頭部に着脱自在に係合し、かつ洗眼時に眼球周囲にセットされる洗眼キャップが付属し、
この洗眼キャップの開口縁が、前記眼球周囲に対応した形状に形成されると共に、前記洗眼キャップの基底面に、通常状態から前記洗眼キャップが反転された状態で、前記ノズルに連通状態で着脱自在に係合する係合部が形成されたことを特徴とする洗眼液噴射装置。
【請求項３】
洗眼液を充填された容器の頭部に、指操作で洗眼液を噴射させる噴射ヘッドが設けられた洗眼液噴射装置において、
噴射ヘッドが、垂直噴射パイプ部及びその先端で略水平に曲げられて先端部を噴射口とする水平パイプ状のノズルにより逆Ｌ字形に形成された噴射ヘッド本体と、容器頭部に装着され、かつ前記垂直噴射パイプ部を指によるトリガ操作により押下げ駆動する操作レバーが設けられた噴射ヘッド基部とを備えると共に、前記ノズルの先端部に、洗眼キャップが、その基底面に形成された係合部で前記ノズルに連通するよう係合し、
前記洗眼キャップの開口縁が、洗眼時に眼球周囲にセットされ得る形状に形成され、前記操作レバーが、前記洗眼キャップの下側周面の途中位置まで指を挿入させ得る隙間を置いて先方へ延びることを特徴とする洗眼液噴射装置。
【発明の詳細な説明】
【技術分野】
【０００１】
本発明は、洗眼液を充填された容器の頭部に、指操作で洗眼液を噴射させる噴射ヘッドが設けられた洗眼液噴射装置に関するものである。
【背景技術】
【０００２】
特許文献１によれば、洗眼液を充填されたエアゾール容器の噴射ボタンを押下げ操作してその噴射口から洗眼液を目に噴射して洗浄を行えるようにした洗眼液噴射装置が開示されている。また、特許文献２によれば洗浄液を充填されたスクイズチューブの口部に、洗眼キャップを着脱自在に嵌合させた洗眼具が開示されている。
【特許文献１】特開２００４−３０５５０４号公報
【特許文献２】特開２０００−８４０３２号公報
【発明の開示】
【発明が解決しようとする課題】
【０００３】
特許文献１の洗眼装置は単に洗眼液を目に向けて噴射させるもので液垂れの処置については考慮されておらず、また文献２の洗眼具は、通常の目薬のように目を上向きでなく、前向き状態で洗眼液を吐出させようとすると、スクイズチューブも横向きになり液量の制御が難しくなる問題がある。
【０００４】
本発明は、このような点に鑑みて、目を上に向けることなく、指操作で洗眼液を噴射可能にし、しかも洗眼液を回収できる洗眼キャップ付きの洗眼液噴射装置を提供することを目的とする。
【課題を解決するための手段】
【０００５】
本発明は、この目的を達成するために、請求項１により、洗眼液を充填された容器の頭部に、指操作で洗眼液を噴射させる噴射ヘッドが設けられた洗眼液噴射装置において、噴射ヘッド（１０）が、上方へ延びて先端部に上方への噴射口（１７ｂ）を有する噴射パイプ（１１）と、この噴射パイプを指で押下げ操作するように噴射パイプ（１１）の周囲に設けられた操作部（１４ａ）とを備えると共に、噴射ヘッド（１０）に、通常状態で噴射パイプ（１１）を操作部と共にカバーして押下げ操作を不能にするように、容器頭部（１２）に着脱自在に係合し、かつ洗眼時に眼球周囲にセットされる洗眼キャップ（２０）が付属し、この洗眼キャップの開口縁（２１）が、眼球周囲に対応した形状に形成されると共に、洗眼キャップ（２０）の基底面に、通常状態から洗眼キャップ（２０）が反転された状態で、噴射口（１７ｂ）に連通するように噴射パイプ（１１）の先端部に着脱自在に係合する係合部（２２）が形成されたことを特徴とする。
【０００６】
このような噴射パイプの押下げ操作により、エアゾール容器に噴射ヘッドが設けられる場合バルブステムが開放駆動され、ポンプ容器に噴射ヘッドが設けられる場合噴射パイプがシリンダのピストンとして下降駆動される。さらに、前述の目的を達成するために、請求項２により、噴射ヘッドが、横向きのノズル（３５，７９）を突設され、かつ指で押下げ操作される噴射ボタン（３０，７８）を備えると共に、噴射ヘッドに、通常状態で噴射ボタン（３０，７８）をカバーして押下げ操作を不能にするように、容器頭部（２，７６）に着脱自在に係合し、かつ洗眼時に眼球周囲にセットされる洗眼キャップ（４０，８０）が付属し、この洗眼キャップの開口縁（６１，８１）が、眼球周囲に対応した形状に形成されると共に、洗眼キャップ（４０，８０）の基底面に、通常状態から洗眼キャップ（４０，８０）が反転された状態で、ノズル（３５，７９）に連通状態で着脱自在に係合する係合部（４３，８２）が形成される。或は、請求項３により、噴射ヘッドが、垂直噴射パイプ部（５１）及びその先端で略水平に曲げられて先端部を噴射口（５２ａ）とする水平パイプ状のノズル（５２）により逆Ｌ字形に形成された噴射ヘッド本体と、容器頭部に装着され、かつ垂直噴射パイプ部（５１）を指によるトリガ操作により押下げ駆動する操作レバー（５８）が設けられた噴射ヘッド基部とを備えると共に、ノズル（５２）の先端部に、洗眼キャップ（６０）が、その基底面に形成された係合部（６５）でノズル（５２）に連通するよう係合し、洗眼キャップ（６０）の開口縁（６１）が、洗眼時に眼球周囲にセットされ得る形状に形成され、操作レバー（５８）が、洗眼キャップ（６０）の下側周面の途中位置まで指を挿入させ得る隙間を置いて先方へ延びる。
【発明の効果】
【０００７】
請求項１又は請求項２の発明によれば、顔を所望の方向に向けて、噴射ヘッドの指操作により洗眼液を噴射可能にすると共に、洗眼キャップは、不使用時には噴射ヘッドをカバーして操作不能にするカバーキャップとして機能し、使用時に噴射液の周辺への漏れを抑制し、残液の回収も可能になる。請求項３の発明によれば、同様に顔を所望の方向に向けて、トリガ操作により洗眼液を噴射可能にすると共に、洗眼キャップは、使用時に噴射液の周辺への漏れを抑制し、残液の回収も可能にし、不使用時にはトリガ操作部の上方をカバーして誤操作を防止する。
【発明を実施するための最良の形態】
【０００８】
図１及び図４を基に本発明の実施の形態による洗眼液噴射装置を説明する。洗眼液が噴射剤と共に充填されたエアゾール容器１の頭部には、図３に示すように、弁機構を内部に保持して、そのバルブステム３を上方付勢状態で突出させるマウンティングカップ２が装着されている。このマウンティングカップに装着される噴射ヘッド１０は、バルブステム３に下端部で嵌着し、垂直上方へノズルとして延びる噴射パイプ１１と、マウンティングカップ２のカール部２ａの外周凹部に下端で係合する周面部１２ａ及び上端に環状の上面周辺部１３を形成する周面部１２ｂを有する外径が２段階に変化する基部としての肩カバー１２と、噴射パイプ１１が嵌入されるように筒状に形成されると共に、インテグラルヒンジ部１５ａを介して連結片１５で上面周辺部１３に連結され、かつ操作部１４ａが斜め上方へ向けて形成された筒部１４とを備え、そのカバーキャップ機能を兼ね、かつ眼球周囲にセットされる洗眼キャップ２０を付属させて洗眼液噴射装置を携帯可能に構成している。
【０００９】
逆円錐台状の洗眼キャップ２０の開口縁２１は、一方の側部を除いて周面部１２ｂの外径に対応する口径の円状であり、その側部には目尻領域も外部に対して確実に遮蔽するように前方へ隆起する隆起部２１ａを備えている。また、深さは噴射パイプ１１の長さに対応して設定され、基底部の平坦な中央部には、噴射パイプ１１の先端部に対する係合部２２が開口されている。つまり、噴射パイプ１１の先端部のディスク状膨出部分１６に、係合部２２の口径に対応した外径の突出部１７ａが階段状に形成されることにより、洗眼キャップ２０を通常状態及び反転状態で着脱自在、かつ回転自在に係合部２２を着座状態に係合させる着座部１７が形成されている。洗眼キャップ２０は、円状であることにより、半回転させてその都度隆起部２１ａを外側へ位置付けすることにより両側の眼球に共用できる。
【００１０】
洗眼を行わない通常状態では、洗眼キャップ２０が、図１に示すように、噴射ヘッド１０をカバーして周面部１２ｂの上端領域に係合することにより、操作部１４ａの意図しない操作を防止するカバーキャップとして機能する。洗眼に際しては、洗眼キャップ２０を外して反転させ、図４に示すように、左眼に対して隆起部２１ａが外側に位置する回転位置で、係合部２２を突出部１７ａの挿入状態で着座部１７に水密になる程度に押して着座・係合させる。顔を僅かに下向きにして開口縁２１を眼の周囲に当てて操作部１４ａを押下げ操作すると、バルブステム３が下方へ駆動されて開放し、噴射口１７ｂから眼に向けて洗眼液が噴射され、外部へ飛散することなく洗眼が行われる。残液は、そのまま洗眼キャップ２０内に回収されて廃液される。次いで、洗眼キャップ２０を半回転させて右眼にセットして同様に洗眼することができる。その都度、廃液することなく着座部１７での液密を保持した状態で半回転させて、右眼にセットすることもできる。
【００１１】
この洗眼液噴射装置は、例えば花粉症対策として携帯することができ、その際洗眼キャップ２０のカバーキャップとしての装着を確保するために、開口縁２１近辺の内周面に凸部を形成し、周面部１２ｂに対応の凹部を形成して凹凸係合させることも考えられる。
【００１２】
図５及び図６は本発明の第２の実施の形態による洗眼液噴射装置を示すもので、前述のバルブステム３に下端部で嵌着し、上面で押下げ操作され、横向きにパイプ状のノズル３５が突設された噴射ヘッドとしての噴射ボタン３０に、洗眼キャップ４０を付属させて構成されている。
【００１３】
この洗眼キャップの開口縁４１は、マウンティングカップ２の巻締め部の外径に対応した円形であり、側部に隆起部４１ａが形成され、深さは噴射ボタン３０をカバーするように設定されている。基底部の中央部には、ノズル３５の先端部に形成されたディスク状着座部３６に着脱及び回転自在に係合するように、ノズル３５の外径に相当する内径の係合孔４２を有する筒状の係合部４３が外方へ突設されている。尚、この係合部は、関連部分の寸法関係によってはノズルの先端部を挿入させて着座させるように、基底部中央の内部に形成することも考えられる。尚、開口縁４１の内周面には、マウンティングカップ２の巻締め部に外係合する凸部を部分的に形成することもできる。
【００１４】
通常状態では、洗眼キャップ４０がマウンティングカップ２に着脱自在に係合することにより、噴射ボタン３０の押下げ操作を防止している。洗眼に際しては、洗眼キャップ４０を反転させて、図６に示すように、係合部４３にノズル３５の先端部分３５ａを係入させて、その端面を着座部３６に液密状態に当接させる。顔を略正面に向けたままで開口縁４１を左眼に当てて噴射ボタン３０を押下げ操作すると、ノズル先端口から眼に向けて洗眼液が噴射され、残液はそのまま洗眼キャップ２０のわん曲した周面部に回収される。同様に、洗眼キャップ４０を半回転させて右眼にセットして洗眼することができる。残液は、液密状態で洗眼キャップ４０の基底部を下向きに傾倒させて、基底部に溜めた状態で排液する。
【００１５】
図７及び図８は第３の実施の形態による洗眼液噴射装置を示すもので、その噴射ヘッドは、周知のように、エアゾール容器頭部から突出する前述のバルブステムに下端部で嵌着する垂直噴射パイプ部５１及びその先端で略水平に曲げられて先端部を噴射口５２ａとする水平パイプ状のノズル５２により逆Ｌ字形に形成された噴射ヘッド本体５０と、前述のマウンティングカップの巻締め部に外係合してその上方をカバーする噴射ヘッド基部としてのカバー体５５とを備えると共に、このカバー体に、トリガ操作部５９が付設されている。その操作レバー５８をトリガ操作すると、その上面部５８ａがピン５９ａを支点として回動して垂直部パイプ５１が下方へ駆動される。
【００１６】
ノズル５２の先端部に保持される洗眼キャップ６０の開口縁６１は、眼球周囲に対応して側部の隆起部６１ａを除いて円形に形成されている。基底部の中央部には、ノズル５２の先端部に形成されたリング状係合溝５７に回転可能に係合する口径の係合部６５が開口されている。尚、このような洗眼キャップ６０のノズル５２に連通する係合部は、着脱自在にノズル５２の先端部に係合するようにも構成することができる。操作レバー５８は、洗眼キャップ６０の下側の周面に対して、指を挿入させ得る程度の隙間を置いてその途中位置まで延びている。
【００１７】
通常状態では、操作レバー５８は、洗眼キャップ６０により上方をカバーされることにより、誤操作をされ難くなっている。洗眼に際しては、洗眼キャップ６０を眼に当てて、隙間に指を入れて操作レバー５８をトリガ操作すると、ノズル５２の噴射口５２ａから眼に向けて洗眼液が噴射される。洗眼キャップ６０を保持状態のまま半回転させて他方の眼に当てる。
【００１８】
図９は第４の実施の形態による洗眼液噴射装置を示すもので、容器７１の頭部のネック部７１ａには、ポンプのシリンダ７３を保持するキャップ７６がねじ込み式に係合すると共に、このキャップから昇降可能に突出するピストン式の噴射パイプ７５の先端部に、横向きに突出する筒状のノズル７９付き噴射ボタン７８が取付けられて噴射ヘッドを構成すると共に、洗眼キャップ８０が付属している。周知の動作原理により、噴射ボタン７８を押下げ操作して噴射パイプ７５を押込んでシリンダ７３の内圧を高めることにより洗眼液を噴出させると共に、押下げ操作を解除した際にばね付勢により自動的に噴射パイプ７５を押上げてシリンダ７３の内圧を負圧化してディップチューブ７２を通して洗眼液を吸上げるようになっている。
【００１９】
噴射ボタン７８に隙間を置く深さの洗眼キャップ８０の開口縁８１は、キャップ７６の上方領域に着脱自在に係合する内径に設定されると共に、基底部中央には、ノズル７９の外径に相当する口径の係合部８２が開口されている。一方、ノズル７９の基部周辺には平坦状の着座部７９ａが形成されることにより、係合部８２は、その周辺が着座部７９ａに着座した状態で、ノズル７９の先端部に着脱自在に係合する。
【００２０】
通常状態では、洗眼キャップ８０が、二点鎖線で示すように、キャップ７６に係合して、噴射ボタン７８をカバーしている。洗眼に際しては、洗眼キャップ８０を外して、係合部８２をノズル７９を挿入させて着座部７９ａに着座させ、開口縁８１を眼に当てて噴射ボタン７８を押下げ操作する。廃液時には、係合部８２の平坦な周辺を着座部７９ａに液密状態に当てておく。
【００２１】
尚、図１に説明した噴射パイプ１１、或は図７に説明した垂直噴射パイプ部５１をピストン動作を行う噴射パイプとして構成することにより、別の操作方式のポンプ式噴射ヘッドとして構成することもできる。さらに、洗眼キャップは側部に隆起部を形成することを前提に説明したが、開口縁の形状は側部からの漏れ及び眼球周辺への装着状態を考慮して、その他の種々の形状が考えられる。
【図面の簡単な説明】
【００２２】
【図１】本発明の第１の実施の形態による洗眼液噴射装置の通常状態の斜視図である。
【図２】同洗眼液噴射装置の噴射ヘッドの洗眼キャップの側面図である。
【図３】同噴射ヘッドの断面図である。
【図４】同洗眼液噴射装置の使用状態を説明する側面図である。
【図５】第２の実施の形態による洗眼液噴射装置の通常状態での斜視図である。
【図６】図５による洗眼液噴射装置の使用状態の側面図である。
【図７】第３の実施の形態による洗眼液噴射装置の斜視図である。
【図８】図７による洗眼液噴射装置の洗眼キャップの係合部の断面図である。
【図９】第４の実施の形態による洗眼液噴射装置の噴射ヘッドの一部断面にした側面図である。
【符号の説明】
【００２３】
１  エアゾール容器
２  マウンティングカップ
３  バルブステム
１１，７５  噴射パイプ
１０  噴射ヘッド
１４ａ  操作部
１７，３６，７９ａ  着座部
１７ｂ，５２ａ  噴射口
２０，４０，６０，８０  洗眼キャップ
２１，４１，６１，８１  開口縁
２２，４３，６５，８２  係合部
３０，７８  噴射ボタン
３５，５２，７９  ノズル
５８  操作レバー
７１  容器
７６  キャップ
【図１】
2006346074.tif 000003
【図２】
2006346074.tif 000004
【図３】
2006346074.tif 000005
【図４】
2006346074.tif 000006
【図５】
2006346074.tif 000007
【図６】
2006346074.tif 000008
【図７】
2006346074.tif 000009
【図８】
2006346074.tif 000010
【図９】
2006346074.tif 000011